(57)【要約】      （修正有）【課題】時刻の手動操作による修正操作時の操作性を向上できる電子時計を提供する。【解決手段】電子時計は、時刻を表示する時刻表示部４、５、６、７と、第１の位置または第２の位置である複数の引出位置に引き出すことが可能なりゅうず８と、りゅうず８の引出位置を検出する引出位置検出部２１と、りゅうず８を回転する操作を検出する操作検出部２２と、引出位置が第１の位置または第２の位置である場合に、操作検出部２２で操作を検出すると、時刻表示部４、５、６、７で表示される時刻を、引出位置に応じて異なる設定量で操作毎に設定する時刻設定部２３と、を備える。【選択図】図３
2020144036.tif 000002
【特許請求の範囲】
【請求項１】
時刻を表示する時刻表示部と、
第１の位置または第２の位置である複数の引出位置に引き出すことが可能なりゅうずと、
前記りゅうずの前記引出位置を検出する引出位置検出部と、
前記りゅうずを回転する操作を検出する操作検出部と、
前記引出位置が前記第１の位置または前記第２の位置である場合に、前記操作検出部で前記操作を検出すると、前記時刻表示部で表示される前記時刻を、前記引出位置に応じて異なる設定量で前記操作毎に設定する時刻設定部と、
を備えることを特徴とする電子時計。
【請求項２】
時刻を表示する時刻表示部と、
第１の位置または第２の位置である複数の引出位置に引き出すことが可能なりゅうずと、
前記りゅうず以外の操作部と、
前記りゅうずの前記引出位置を検出する引出位置検出部と、
前記操作部の操作を検出する操作検出部と、
前記引出位置が前記第１の位置または前記第２の位置である場合に、前記操作検出部で前記操作を検出すると、前記時刻表示部で表示される前記時刻を、前記引出位置に応じて異なる設定量で前記操作毎に設定する時刻設定部と、
を備えることを特徴とする電子時計。
【請求項３】
前記時刻設定部は、前記時刻表示部で表示される前記時刻の時差を設定することによって前記時刻を設定することを特徴とする請求項１または請求項２に記載の電子時計。
【請求項４】
前記時刻設定部は、
前記引出位置が前記第１の位置の場合、前記操作毎に設定される前記時差の設定量を１時間とし、
前記引出位置が前記第２の位置の場合、前記操作毎に設定される前記時差の設定量を１５分とすることを特徴とする請求項３に記載の電子時計。
【請求項５】
前記時刻設定部は、
前記引出位置が前記第１の位置の場合、前記操作毎に設定される前記時刻の設定量を１時間とし、
前記引出位置が前記第２の位置の場合、前記操作毎に設定される前記時刻の設定量を１分とすることを特徴とする請求項１または請求項２に記載の電子時計。
【請求項６】
前記りゅうず以外の操作部は、ボタンであることを特徴とする請求項２に記載の電子時計。
【発明の詳細な説明】
【技術分野】
【０００１】
本願発明は、アナログ表示やデジタル表示を有する電子時計に関する。
【背景技術】
【０００２】
特許文献１には、りゅうずを２段階引き出すと地方時設定処理が実行され、りゅうずの回転操作が検出されると時針を１時間移動させ、押しボタンスイッチが押下されると、分針を１５分移動させる電子時計が開示されている。
【先行技術文献】
【特許文献】
【０００３】
【特許文献１】特開２０１７−４９２２８号公報
【発明の概要】
【発明が解決しようとする課題】
【０００４】
特許文献１の電子時計は、修正対象が同じ地方時でありながら、利用者は、りゅうず、または、ボタンを、指針の移動量に応じて使い分けて操作しなければならない。このため、りゅうずおよびボタンの使い分けを熟知していない一般の利用者にとっては、操作性が悪く、誤操作の恐れもあった。
【課題を解決するための手段】
【０００５】
本開示の電子時計は、時刻を表示する時刻表示部と、第１の位置または第２の位置である複数の引出位置に引き出すことが可能なりゅうずと、前記りゅうずの前記引出位置を検出する引出位置検出部と、前記りゅうずを回転する操作を検出する操作検出部と、前記引出位置が前記第１の位置または前記第２の位置である場合に、前記操作検出部で前記操作を検出すると、前記時刻表示部で表示される前記時刻を、前記引出位置に応じて異なる設定量で前記操作毎に設定する時刻設定部と、を備えることを特徴とする。
【０００６】
本開示の電子時計は、時刻を表示する時刻表示部と、第１の位置または第２の位置である複数の引出位置に引き出すことが可能なりゅうずと、前記りゅうず以外の操作部と、前記りゅうずの前記引出位置を検出する引出位置検出部と、前記操作部の操作を検出する操作検出部と、前記引出位置が前記第１の位置または前記第２の位置である場合に、前記操作検出部で前記操作を検出すると、前記時刻表示部で表示される前記時刻を、前記引出位置に応じて異なる設定量で前記操作毎に設定する時刻設定部と、を備えることを特徴とする。
【０００７】
本開示の電子時計において、前記時刻設定部は、前記時刻表示部で表示される前記時刻の時差を設定することによって前記時刻を設定することが好ましい。
【０００８】
本開示の電子時計において、前記時刻設定部は、前記引出位置が前記第１の位置の場合、前記操作毎に設定される前記時差の設定量を１時間とし、前記引出位置が前記第２の位置の場合、前記操作毎に設定される前記時差の設定量を１５分とすることが好ましい。
【０００９】
本開示の電子時計において、前記時刻設定部は、前記引出位置が前記第１の位置の場合、前記操作毎に設定される前記時刻の設定量を１時間とし、前記引出位置が前記第２の位置の場合、前記操作毎に設定される前記時刻の設定量を１分とすることが好ましい。
【００１０】
本開示の電子時計において、前記りゅうず以外の操作部は、ボタンであることが好ましい。
【図面の簡単な説明】
【００１１】
【図１】第１実施形態の電子時計を示す正面図である。
【図２】第１実施形態のムーブメントの構成を示す図である。
【図３】第１実施形態のムーブメントの構成を示すブロック図である。
【図４】第１実施形態の第１の手動時差修正モードの処理を示すフローチャートである。
【図５】第１実施形態の第２の手動時差修正モードの処理を示すフローチャートである。
【図６】第１実施形態の手動時差修正時の動作例を示す図である。
【図７】第２実施形態のムーブメントの構成を示すブロック図である。
【図８】第２実施形態の第１の現在時刻修正モードの処理を示すフローチャートである。
【図９】第２実施形態の第２の現在時刻修正モードの処理を示すフローチャートである。
【図１０】第２実施形態の現在時刻修正時の動作例を示す図である。
【図１１】変形例の時刻修正例を示す図である。
【発明を実施するための形態】
【００１２】
［第１実施形態］
以下、第１実施形態の電子時計１を図面に基づいて説明する。
電子時計１は、ケース２と、ケース２内に配置された文字板３と、文字板３の平面中心位置に設けられた３本の指針軸にそれぞれ取り付けられた秒針４、分針５、時針６と、日車７と、りゅうず８と、ボタン９Ａと、ボタン９Ｂとを備える。
このため、電子時計１において、時刻を表示する時刻表示部１０は、秒針４、分針５、時針６、日車７を備えて構成される。
【００１３】
［電子時計の回路構成］
電子時計１のムーブメントは、図２、３に示すように、信号源である水晶振動子１１と、電源である電池１２と、第１モーター１４、第２モーター１５、第３モーター１６、第４モーター１７と、時計用のＩＣ２０と、記憶部３０とを備える。
また、ムーブメントは、ボタン９Ａ、ボタン９Ｂの操作によってオン、オフされるプッシュスイッチＳ１、Ｓ２と、りゅうず８の引き出し操作によってオン、オフされるスライドスイッチＳ３、Ｓ４と、りゅうず８の回転操作によってオン、オフされるスイッチＳ５、Ｓ６とを備える。
【００１４】
第１モーター１４、第２モーター１５、第３モーター１６、第４モーター１７は、電子時計用に用いられる２極単相ステッピングモーターであり、秒針４、分針５、時針６、日車７を、時計回りおよび反時計回りの両方向に移動可能に構成されている。なお、秒針４は、通常、分針５や時針６に比べて１周させるために必要なステップ数が少ないため、第１モーター１４は秒針４を時計回り方向のみに移動可能に構成してもよい。
【００１５】
図２に示すように、ＩＣ２０は、水晶振動子１１が接続される接続端子ＯＳＣ１、ＯＳＣ２と、スイッチＳ１、Ｓ２、Ｓ３、Ｓ４、Ｓ５、Ｓ６が接続される入力端子Ｋ１、Ｋ２、Ｋ３、Ｋ４、Ｋ５、Ｋ６と、電池１２が接続される電源端子ＶＤＤ、ＶＳＳと、第１モーター１４から第４モーター１７の各コイルに接続される出力端子Ｏ１〜Ｏ８と、記憶部３０が接続される入出力端子Ｍ１とを備える。
なお、本実施形態では、電池１２のプラス電極を高電位側の電源端子ＶＤＤに接続し、マイナス電極を低電位側の電源端子ＶＳＳに接続し、低電位側の電源端子ＶＳＳをグランドに設定している。
【００１６】
水晶振動子１１は、図示略の発振回路で駆動されて発振信号を発生する。
電池１２は、一次電池または二次電池で構成される。二次電池の場合は、図示略のソーラーセルなどによって充電される。
スイッチＳ１は、電子時計１の略２時位置にあるボタン９Ａの操作によって入力されるプッシュスイッチであり、ボタン９Ａが押されている状態ではオン状態となり、ボタン９Ａが押されていない状態ではオフ状態となる。
スイッチＳ２は、電子時計１の略４時位置にあるボタン９Ｂの操作によって入力されるプッシュスイッチであり、ボタン９Ｂが押されている状態ではオン状態となり、ボタン９Ｂが押されていない状態ではオフ状態となる。
【００１７】
スイッチＳ３、Ｓ４は、りゅうず８の引き出しに連動したスライドスイッチである。本実施形態では、りゅうず８は、初期位置である０段目から、第１の位置である１段目と、第２の位置である２段目とに引き出すことができるように構成されている。そして、りゅうず８が１段目に引き出された状態でスイッチＳ３がオン状態、スイッチＳ４がオフ状態となり、２段目に引き出された状態でスイッチＳ４がオン状態、スイッチＳ３がオフ状態となり、０段目ではスイッチＳ３、Ｓ４が共にオフ状態となる。
スイッチＳ５、Ｓ６は、りゅうず８の回転に連動したスイッチである。本実施形態では、りゅうず８を１２時方向に向かって回転させた場合、つまり図１の第１方向Ｒ１に回転させた場合に、スイッチＳ５がりゅうず８の回転量に応じて断続的にオン状態となる。スイッチＳ５がオン状態とされる方向のりゅうず８の回転を正転とする。
また、りゅうず８を６時方向に向かって回転させた場合、つまり図１の第２方向Ｒ２に回転させた場合に、スイッチＳ６がりゅうず８の回転量に応じて断続的にオン状態となる。スイッチＳ６がオン状態とされる方向のりゅうず８の回転を逆転とする。
ＩＣ２０は、スイッチＳ５、Ｓ６のオン状態となる回数によって、りゅうず８の回転方向および回転量、つまり利用者の操作量を検出できる。
【００１８】
ＩＣ２０は、図３に示すように、引出位置検出部２１と、操作検出部２２と、時刻設定部２３と、第１モーター駆動制御部２４と、第２モーター駆動制御部２５と、第３モーター駆動制御部２６と、第４モーター駆動制御部２７とを備える。
記憶部３０は、現在時刻を記憶する現在時刻記憶部３１と、設定された時差を記憶する時差記憶部３２と、時刻表示部１０である秒針４、分針５、時針６、日車７が指示する針位置を記憶する針位置記憶部３３とを備える。
【００１９】
引出位置検出部２１は、スイッチＳ３、Ｓ４の状態により、りゅうず８の引出位置を検出する。
操作検出部２２は、スイッチＳ５、Ｓ６の状態により、りゅうず８が正転または逆転の回転操作が行われたか否かを検出し、スイッチＳ５、Ｓ６の入力つまりオン状態があれば、回転操作が行われたと検出する。さらに、操作検出部２２は、スイッチＳ１、Ｓ２の状態により、ボタン９Ａ、ボタン９Ｂが押されたか否かを検出する。
【００２０】
時刻設定部２３は、引出位置検出部２１で検出したりゅうず８の引出位置が第１の位置である１段目、または、第２の位置である２段目である場合に、操作検出部２２でりゅうず８の回転操作を検出すると、りゅうず８の引出位置に応じて設定された設定量で、時差記憶部３２に記憶される時差を修正する。
本実施形態では、時刻設定部２３は、りゅうず８の引出位置が第１の位置の場合は設定量として１時間を設定し、第２の位置の場合は設定量として１５分を設定し、りゅうず８の回転操作に応じて、時差記憶部３２に記憶される時差を修正する。
また、本実施形態では、時刻設定部２３は、操作検出部２２でスイッチＳ５、Ｓ６の入力を検出してから単位時間以内に再度入力があった場合も、１回の入力として前記設定量だけ時差を修正する。単位時間は、例えば、１秒などの予め設定された時間であり、りゅうず８を１回操作する際の平均操作時間などに応じて設定される。
このため、時刻設定部２３は、単位時間内に、スイッチＳ５やスイッチＳ６が１回以上、例えば２回入力があっても、りゅうず８の引出位置に応じて１回分の設定量、つまり１時間または１５分だけ時差を修正する。また、時刻設定部２３は、スイッチＳ５、Ｓ６の入力を検出してから単位時間経過後に、再度、入力があった場合は、別の入力があったと判定し、さらに１回分の設定量だけ時差を修正する。
時刻設定部２３が、単位時間毎に１回の入力と判定させるのは以下の理由である。すなわち、利用者がりゅうず８を１回、回転操作した場合に、りゅうず８が回転する角度には個人差がある。このため、利用者がりゅうず８を１回分だけ回したと思っていても、スイッチＳ５やスイッチＳ６のオン状態が２回以上となる場合がある。スイッチＳ５、Ｓ６のオン回数に応じて単純に時差を修正してしまうと、利用者は１時間だけ時差を修正するつもりが、りゅうず８の操作量によっては２時間以上の修正となってしまうことがある。一方、利用者がりゅうず８を１回分だけ回した後、再度、りゅうず８を回す場合、りゅうず８を指で摘まみ直す必要があり、ある程度の時間が必要となる。したがって、時刻設定部２３が、単位時間毎に１回の入力と判定すれば、りゅうず８を回転操作する毎に１回分の設定量で時差を修正でき、利用者が意図する時差に容易に修正できるためである。
なお、時刻設定部２３は、単位時間内に、スイッチＳ５とスイッチＳ６との２つの入力があった場合は、最後のスイッチ入力を有効と判断すればよい。例えば、りゅうず８が１段目で単位時間内に、スイッチＳ５が先に入力され、スイッチＳ６が後に入力された場合、スイッチＳ６の入力を有効と判断し、時差を１時間減算する。
【００２１】
時刻設定部２３は、時差が修正されると、現在時刻記憶部３１に記憶される現在時刻を修正し、修正された現在時刻を指示するように、各モーター駆動制御部２４〜２７を作動し、時刻表示部１０で表示される時刻を修正する。この際、時刻設定部２３は、各モーター駆動制御部２４〜２７での駆動パルスによって針位置記憶部３３の針位置を更新し、秒針４、分針５、時針６、日車７が指示する位置に針位置記憶部３３の針位置データが連動するように制御する。
【００２２】
現在時刻記憶部３１の現在時刻は、水晶振動子１１の発振信号を分周した基準信号で更新される。そして、時刻設定部２３は、秒針４、分針５、時針６、日車７が現在指示する時刻、つまり針位置記憶部３３の針位置と、現在時刻記憶部３１の現在時刻とが一致するまで、各モーター駆動制御部２４〜２７を作動して秒針４、分針５、時針６、日車７を、現在時刻を指示する位置まで早送りで移動する。
【００２３】
次に、りゅうず８を引き出して回転する手動操作で時差を修正する手動時差修正モードについて、図４〜図６を参照して説明する。
なお、記憶部３０の時差記憶部３２に記憶される時差は、現在地のタイムゾーンを示す情報であり、以下に説明するような方法で予め設定することができる。
例えば、ＧＰＳ衛星等から電波を受信し、受信した信号に基づいて現在地の位置情報を取得できる電子時計の場合は、取得した位置情報に対応するタイムゾーンデータ、具体的にはＵＴＣに対する時差が前記時差として記憶される。
【００２４】
［第１の手動時差修正モード］
図４は、りゅうず８が第１の位置である１段目に引き出された場合に実行される第１の手動時差修正モードの処理を示すフローチャートである。
時刻設定部２３は、引出位置検出部２１によって、りゅうず８が第１の位置である１段目に引き出されたことを検出すると、図４に示す制御を開始し、りゅうず８の回転操作が行われたかを判定するステップＳ１１を実行する。時刻設定部２３は、ステップＳ１１において、操作検出部２２の検出結果によって、りゅうず８の正転または逆転の回転があったか、あるいは操作が無いかを判定する。
【００２５】
時刻設定部２３は、ステップＳ１１において、りゅうず８が正転で回転されたと判定した場合は、時差記憶部３２に記憶される時差を＋１時間修正するステップＳ１２を実行する。
また、時刻設定部２３は、ステップＳ１１において、りゅうず８が逆転で回転されたと判定した場合は、時差記憶部３２に記憶される時差を−１時間修正するステップＳ１３を実行する。
【００２６】
次に、時刻設定部２３は、時刻記憶部３１に記憶された現在時刻に、時差記憶部３２に記憶される時差を反映させるステップＳ１４を実行する。このため、時刻記憶部３１の現在時刻は、ステップＳ１２の実行後であれば１時間が加算され、ステップＳ１３の実行後であれば−１時間が加算、つまり１時間が減算される。例えば、時差反映前の現在時刻が、１０時８分４３秒であれば、＋１時間の時差の反映後の現在時刻は、１１時８分４３秒であり、−１時間の時差の反映後の現在時刻は、９時８分４３秒である。
次に、時刻設定部２３は、ステップＳ１５を実行し、現在時刻を針で表示する。すなわち、時刻設定部２３は、第３モーター１６に対して＋１時間移動させる駆動信号、または、−１時間移動させる駆動信号を出力し、時針６を＋１時間または−１時間移動する。
例えば、図６のＳ１００に示すように、りゅうず８が０段目に位置し、秒針４、分針５、時針６、日車７が通常時刻を表示している状態から、りゅうず８を１段目に引き出し、正転で回転すると、図６のＳ１１０に示すように、時針６が＋１時間分移動する。この際、秒針４、分針５は、現在時刻の秒および分の指示を継続する。なお、秒針４は、第１の時差修正モードであることを示すために、予め設定された位置、例えば４０秒位置に移動させて停止させてもよい。
また、第３モーター１６に対して出力される駆動信号は、針位置記憶部３３にも出力され、針位置記憶部３３の針位置データも更新される。
【００２７】
時刻設定部２３は、ステップＳ１５の実行後、ステップＳ１６を実行し、りゅうず８の引き出し位置が変更されたか否かを、スイッチＳ３、Ｓ４の状態で判定する。
また、時刻設定部２３は、ステップＳ１１でりゅうず８の回転操作が無い場合、つまりスイッチＳ５、Ｓ６の入力が無くステップＳ１１で操作無しと判定した場合も、ステップＳ１６を実行する。
時刻設定部２３は、ステップＳ１６でＮＯと判定した場合は、ステップＳ１１に戻って制御処理を続行し、ステップＳ１６でＹＥＳと判定した場合は、第１の手動時差修正モードを終了する。
この際、利用者によって、りゅうず８が０段目に押し込まれている場合は、時刻設定部２３は、図６のＳ１００に示すように通常時刻表示モードを実行する。
また、利用者によって、りゅうず８が２段目に引き出されている場合は、時刻設定部２３は、次に説明する第２の時刻時差修正モードを実行する。
【００２８】
［第２の手動時差修正モード］
図５は、りゅうず８が第２の位置である２段目に引き出された場合に実行される第２の手動時差修正モードの処理を示すフローチャートである。
時刻設定部２３は、りゅうず８が第２の位置である２段目に引き出されると、図５に示す制御を開始し、りゅうず８の回転操作が行われたかを判定するステップＳ２１を実行する。時刻設定部２３は、ステップＳ２１において、スイッチＳ５、Ｓ６の入力をチェックすることで、正転または逆転の回転があったか、あるいは操作が無いかを判定する。
【００２９】
時刻設定部２３は、ステップＳ２１において、りゅうず８が正転で回転されたと判定した場合は、時差記憶部３２に記憶される時差を＋１５分修正するステップＳ２２を実行する。
また、時刻設定部２３は、ステップＳ２１において、りゅうず８が逆転で回転されたと判定した場合は、時差記憶部３２に記憶される時差を−１５分修正するステップＳ２３を実行する。
【００３０】
次に、時刻設定部２３は、現在時刻記憶部３１の現在時刻に時差を反映させるステップＳ２４を実行する。このため、現在時刻記憶部３１の現在時刻は、ステップＳ２２の実行後であれば１５分が加算され、ステップＳ２３の実行後であれば−１５分が加算つまり１５分が減算される。例えば、時差反映前の現在時刻が、１０時８分４３秒であれば、＋１５分の時差の反映後の現在時刻は、１０時２３分４３秒であり、−１５分の時差の反映後の現在時刻は、９時５３分４３秒である。
次に、時刻設定部２３は、ステップＳ２５を実行し、現在時刻を針で表示する。なお、分針５が±１５分毎に移動する場合、通常、時針６も移動する必要がある。このため、時刻設定部２３は、第２モーター１５および第３モーター１６に対して＋１５分移動させる駆動信号、または、−１５分移動させる駆動信号を出力し、分針５および時針６を＋１５分や−１５分に対応する角度分だけ移動する。
例えば、図６のＳ１１０に示す通常時刻の表示状態から、りゅうず８を２段目に引き出し、正転で回転すると、図６のＳ１２０に示すように、分針５が＋１５分だけ移動し、時針６が３０度×１／４＝７．５度だけ移動する。この際、秒針４は、現在時刻の秒の指示を継続する。なお、秒針４は、第２の時差修正モードであることを示すために、予め設定された位置、例えば５０秒位置に移動させて停止させてもよい。
また、第２モーター１５、第３モーター１６に対して出力される駆動信号は、針位置記憶部３３にも出力され、針位置記憶部３３の針位置データも更新される。
【００３１】
時刻設定部２３は、ステップＳ２５の実行後、ステップＳ２６を実行し、りゅうず８の引き出し位置が変更されたか否かを、スイッチＳ３、Ｓ４の状態で判定する。
また、時刻設定部２３は、ステップＳ２１でりゅうず８の回転操作が無い場合、つまりスイッチＳ５、Ｓ６の入力が無くステップＳ２１で操作無しと判定した場合も、ステップＳ２６を実行する。
時刻設定部２３は、ステップＳ２６でＮＯと判定した場合は、ステップＳ２１に戻って制御処理を続行し、ステップＳ２６でＹＥＳと判定した場合は、第２の手動時差修正モードを終了する。
【００３２】
なお、第１の手動時差修正モードおよび第２の手動時差修正モードのいずれの場合も、日付変更線を跨ぐように時差修正が行われた場合は、時刻設定部２３は、第４モーター１７を動作させて日車７を移動する。具体的には、時差がＵＴＣ＋１４時間の状態からりゅうず８が正転で回転した場合と、時差がＵＴＣ−１２時間の状態からりゅうず８が逆転で回転した場合には、時刻設定部２３は日車７も移動させる。
また、図６において、Ａ１〜Ａ３、Ｂ１〜Ｂ３は、りゅうず８の引出位置の変更操作を示す。Ａ１は、りゅうず８を０段目から１段目に変更する操作である。Ａ２は、りゅうず８を０段目から２段目に変更する操作である。Ａ３は、りゅうず８を１段目から２段目に変更する操作である。Ｂ１は、りゅうず８を１段目から０段目に変更する操作である。Ｂ２は、りゅうず８を２段目から０段目に変更する操作である。Ｂ３は、りゅうず８を２段目から１段目に変更する操作である。
【００３３】
［第１実施形態の作用効果］
第１実施形態によれば、りゅうず８を第１の位置である１段目に引き出して正転または逆転で回転操作した場合は、時差を１時間毎に進めたり、遅らせることができ、りゅうず８を第２の位置である２段目に引き出して正転または逆転で回転操作した場合は、時差を１５分毎に進めたり、遅らせることができる。
したがって、時差修正の設定量は、りゅうず８の引出位置に統一されており、時差の設定操作は、りゅうず８の正転や逆転の回転操作に統一されているので、利用者は直感的に時差を設定でき、操作性を向上できる。
【００３４】
また、りゅうず８のみで時差の設定を修正できるので、ボタン９Ａ、９Ｂが設けられていない電子時計でも時差修正操作を実現することができる。
【００３５】
りゅうず８の引出位置に応じて、時差を１５分毎に修正する第２の手動時差修正モードを備えているので、現在、各国で採用されているすべての時差を設定できる。また、時差を１時間毎に修正する第１の手動時差修正モードを備えているので、第２の手動時差修正モードと組み合わせることで、最小限の操作で時差を設定できる。
【００３６】
現在時刻記憶部３１に記憶された現在時刻を直接修正するのではなく、時差記憶部３２に記憶された時差を修正しているので、各国のタイムゾーンに対応する時刻に容易に修正できる。また、日付変更線を跨ぐような時差修正操作を行えば、日車７も自動的に移動させて表示される日付を自動修正できるので、手動操作で日車７を移動させる場合に比べて操作性を向上できる。
【００３７】
［第２実施形態］
次に、第２実施形態の電子時計１Ａについて説明する。第２実施形態の電子時計１Ａは、現在時刻をボタン９Ａ、９Ｂの操作で設定する点が第１実施形態と相違する。このため、電子時計１Ａは、図７に示すように、第１実施形態と構成が相違する時刻設定部２３Ａと、記憶部３０Ａとを備える。なお、電子時計１Ａにおいて、その他の構成は、電子時計１と同じであるため、同一符号を付して説明を省略する。
時刻設定部２３Ａは、りゅうず８が１段目または２段目に位置する場合、ボタン９Ａ、９Ｂの操作で現在時刻を修正する。この際、時刻設定部２３Ａは、第１実施形態と同様に、単位時間内に複数のボタン操作があった場合でも、１回のボタン操作があったと判定する。ただし、りゅうず８の回転操作と異なり、ボタン９Ａ、９Ｂの押下操作の回数は、利用者毎のバラツキがない。このため、時刻設定部２３Ａは、単位時間内との条件を無くし、ボタン９Ａ、９Ｂの押下操作の回数のみで、現在時刻の修正量を設定してもよい。
記憶部３０Ａは、時差記憶部３２を備えずに、現在時刻記憶部３１および針位置記憶部３３を備える。
【００３８】
電子時計１Ａの時刻設定部２３Ａは、第１の現在時刻修正モードと、第２の現在時刻修正モードとを実行する。
第１の現在時刻修正モードは、りゅうず８が１段目でボタン９Ａ、９Ｂが操作されると、現在時刻を１時間進めたり遅らせて修正するモードである。
第２の現在時刻修正モードは、りゅうず８が２段目でボタン９Ａ、９Ｂが操作されると、現在時刻を１分進めたり遅らせて修正するモードである。
以下、図８〜１０に基づいて各現在時刻修正モードを説明する。
【００３９】
［第１の現在時刻修正モード］
図８は、りゅうず８が第１の位置である１段目に引き出された場合に実行される第１の現在時刻修正モードの処理を示すフローチャートである。
時刻設定部２３Ａは、引出位置検出部２１によって、りゅうず８が第１の位置である１段目に引き出されたことを検出すると、図８に示す制御を開始し、ボタン９Ａまたはボタン９Ｂのプッシュ操作が行われたかを判定するステップＳ３１を実行する。時刻設定部２３Ａは、ステップＳ３１において、操作検出部２２の検出結果によって、ボタン９Ａまたはボタン９Ｂのボタン操作があったか、あるいはボタン操作が無いかを判定できる。
【００４０】
時刻設定部２３Ａは、ステップＳ３１において、ボタン９Ａが押下されたと判定した場合は、現在時刻を＋１時間修正するステップＳ３２を実行する。
また、時刻設定部２３Ａは、ステップＳ３１において、ボタン９Ｂが押下されたと判定した場合は、現在時刻を−１時間修正するステップＳ３３を実行する。
時刻設定部２３Ａは、ステップＳ３２、Ｓ３３を実行すると、現在時刻記憶部３１の現在時刻を修正する。
【００４１】
次に、時刻設定部２３Ａは、ステップＳ３４を実行し、現在時刻を針で表示する。すなわち、時刻設定部２３Ａは、第３モーター１６に対して＋１時間移動させる駆動信号、または、−１時間移動させる駆動信号を出力し、時針６を＋１時間または−１時間移動する。
例えば、図１０のＳ２００に示すように、りゅうず８が０段目に位置し、秒針４、分針５、時針６、日車７が通常時刻を表示している状態から、りゅうず８を１段目に引き出し、ボタン９Ａを押下すると、図１０のＳ２１０に示すように、時針６が＋１時間分移動する。この際、分針５は、現在時刻の分の指示を継続し、秒針４は、現在時刻修正モードであることを示すために、予め設定された位置、例えば００秒位置に移動して停止する。
また、第３モーター１６に対して出力される駆動信号は、針位置記憶部３３にも出力され、針位置記憶部３３の針位置データも更新される。
【００４２】
時刻設定部２３Ａは、ステップＳ３４の実行後、ステップＳ３５を実行し、りゅうず８の引き出し位置が変更されたか否かを、スイッチＳ３、Ｓ４の状態で判定する。
また、時刻設定部２３Ａは、ステップＳ３１でボタン９Ａ、９Ｂのボタン操作が無い場合、つまりスイッチＳ１、Ｓ２の入力が無くステップＳ３１で操作無しと判定した場合も、ステップＳ３５を実行する。
時刻設定部２３Ａは、ステップＳ３５でＮＯと判定した場合は、ステップＳ３１に戻って制御処理を続行し、ステップＳ３５でＹＥＳと判定した場合は、第１の現在時刻修正モードを終了する。
この際、利用者によって、りゅうず８が０段目に押し込まれた場合は、時刻設定部２３Ａは、図１０のＳ１００に示すように通常時刻表示モードを実行する。
また、利用者によって、りゅうず８が２段目に引き出された場合は、次に説明する第２の現在時刻修正モードを実行する。
【００４３】
［第２の現在時刻修正モード］
図９は、りゅうず８が第２の位置である２段目に引き出された場合に実行される第２の現在時刻修正モードの処理を示すフローチャートである。
時刻設定部２３Ａは、りゅうず８が第２の位置である２段目に引き出されると、図９に示す制御を開始し、ボタン９Ａまたはボタン９Ｂのプッシュ操作が行われたかを判定するステップＳ４１を実行する。時刻設定部２３Ａは、ステップＳ４１において、操作検出部２２の検出結果によって、ボタン９Ａまたはボタン９Ｂのボタン操作があったか、あるいはボタン操作が無いかを判定できる。
【００４４】
時刻設定部２３Ａは、ステップＳ４１において、ボタン９Ａが押下されたと判定した場合は、現在時刻を＋１分修正するステップＳ４２を実行する。
また、時刻設定部２３Ａは、ステップＳ４１において、ボタン９Ｂが押下されたと判定した場合は、現在時刻を−１分修正するステップＳ４３を実行する。
時刻設定部２３Ａは、ステップＳ４２、Ｓ４３を実行すると、現在時刻記憶部３１の現在時刻を修正する。
【００４５】
次に、時刻設定部２３Ａは、ステップＳ４４を実行し、現在時刻を針で表示する。すなわち、時刻設定部２３Ａは、第２モーター１５に対して＋１分移動させる駆動信号、または、−１分移動させる駆動信号を出力し、分針５を＋１分または−１分移動する。
例えば、図１０のＳ２００に示すように、りゅうず８が０段目に位置し、秒針４、分針５、時針６、日車７が通常時刻を表示している状態から、りゅうず８を２段目に引き出し、ボタン９Ａを押下すると、図１０のＳ２２０に示すように、分針５が＋１分移動する。この際、時針６は、現在時刻の時の指示を継続し、秒針４は、現在時刻修正モードであることを示すために、予め設定された位置、例えば００秒位置に移動して停止する。なお、時針６は、分針５が１分修正される毎に、例えば、３０度／６０＝０．５度毎移動させてもよいが、時針６を駆動する第３モーター１６が独立して設けられているので、例えば、分針５が１０分移動した場合に５度移動するように設定してもよい。
また、第２モーター１５に対して出力される駆動信号は、針位置記憶部３３にも出力され、針位置記憶部３３の針位置データも更新される。
【００４６】
時刻設定部２３Ａは、ステップＳ４４の実行後、ステップＳ４５を実行し、りゅうず８の引き出し位置が変更されたか否かを、スイッチＳ３、Ｓ４の状態で判定する。
また、時刻設定部２３Ａは、ステップＳ４１でボタン９Ａ、９Ｂのボタン操作が無い場合、つまりスイッチＳ１、Ｓ２の入力が無くステップＳ３１で操作無しと判定した場合も、ステップＳ４５を実行する。
時刻設定部２３Ａは、ステップＳ４５でＮＯと判定した場合は、ステップＳ４１に戻って制御処理を続行し、ステップＳ４５でＹＥＳと判定した場合は、第２の現在時刻修正モードを終了する。
なお、図１０におけるＡ１〜Ａ３、Ｂ１〜Ｂ３は、図６で説明したりゅうず８の引出位置の変更操作を示すため、説明を省略する。
【００４７】
［第２実施形態の作用効果］
第２実施形態によれば、秒針４、分針５、時針６、日車７で表示する現在時刻を、電子時計１Ａの利用者の操作で修正する際に、りゅうず８の引出位置に応じて、現在時刻を修正する際の修正量、つまり設定量を設定でき、現在時刻を進めるか、または遅らせるかは、ボタン９Ａ、９Ｂのボタン操作で選択できる。すなわち、利用者は、現在時刻の修正量の設定値は、りゅうず８の引出位置で切り替えることができ、設定量が１時間の場合と１分の場合のいずれの場合も、現在時刻を進める場合、つまり現在時刻に設定量を加算する場合はボタン９Ａを押し、現在時刻を遅らせる場合、つまり現在時刻から設定量を減算する場合はボタン９Ｂを押せばよい。このように、設定量の切替操作は、りゅうず８の引出位置で統一され、現在時刻に設定量を加減算する操作は、ボタン９Ａ、９Ｂの押下操作で統一されているので、利用者にとって操作を理解しやすく、操作性を向上でき、誤操作を防止できる。
【００４８】
現在時刻を進める操作と、遅らせる操作とで、異なるボタン９Ａ、９Ｂを操作するため、利用者が押し間違える可能性も低くなり、操作感も統一されるため、利用者は直感的に現在時刻を修正でき、操作性を向上できる。
【００４９】
また、電子時計１Ａでは、りゅうず８の引出位置を変更する操作と、ボタン９Ａ、９Ｂの押下操作とを用いて操作するため、りゅうず８を回転操作する必要が無い。このため、りゅうず８の回転操作を検出するスイッチＳ５、Ｓ６が設けられていない電子時計でも、現在時刻を修正することができる。
【００５０】
りゅうず８の引出位置に応じて、現在時刻を１分毎に修正する第２の現在時刻修正モードを備えているので、時報などに合わせて表示時刻を時刻合わせする場合に、現在時刻に容易に合わせることができる。また、現在時刻を１時間毎に修正する第１の現在時刻修正モードを備えているので、第２の現在時刻修正モードと組み合わせることで、最小限の操作で現在時刻を修正できる。
【００５１】
なお、本発明は前記実施形態に限定されず、本発明の要旨の範囲内で種々の変形実施が可能である。
第１実施形態の電子時計１では、りゅうず８の回転操作で時差を修正していたが、第２実施形態のように、ボタン９Ａ、９Ｂの押下操作で時差を修正してもよい。
同様に、第２実施形態の電子時計１Ａでは、ボタン９Ａ、９Ｂの押下操作で現在時刻を修正していたが、第１実施形態のように、りゅうず８の回転操作で現在時刻を修正してもよい。
【００５２】
電子時計は、指針で時刻を表示するアナログ時計に限定されず、デジタル時計や、指針およびデジタル表示部の両方を備えるコンビネーション時計でもよい。また、衛星信号や標準電波を受信するアンテナや受信ＩＣを備える時計でもよい。
さらに、操作部で操作する対象は、時差や現在時刻に限定されない。例えば、アラームやタイマー機能を有する電子時計の場合、アラーム時刻やタイマー時刻を操作部で設定してもよい。図１１は、デジタル時計におけるアラーム時刻の設定例を示す図である。
図１１のＳ３００は、デジタル表示部６１に現在時刻が表示された通常時刻表示の例である。この状態で、りゅうず８を１段目に引き出すと、設定量が１時間であるため、図１１のＳ３１０に示すように、デジタル表示部６１の時桁表示部６２が点滅し、修正対象として選択された状態であることを表示する。この状態で、りゅうず８を正転または逆転したり、ボタン９Ａ、９Ｂの押下操作を行うと、時桁表示部６２に表示された時間に、１時間が加算されたり減算されて、アラーム時刻が修正される。
また、りゅうず８を２段目に引き出すと、設定量が１分であるため、図１１のＳ３２０に示すように、デジタル表示部６１の分桁表示部６３が点滅し、修正対象として選択された状態であることを表示する。この状態で、りゅうず８を正転または逆転したり、ボタン９Ａ、９Ｂの押下操作を行うと、分桁表示部６３に表示された数字に、１分が加算されたり減算されて、アラーム時刻が修正される。
【００５３】
第２実施形態のボタン９Ａ、９Ｂの代わりに他の操作部を用いて操作してもよい。すなわち、りゅうず８以外の操作部としては、ボタン９Ａ、９Ｂに限定されず、回転操作可能なベゼルや、叩かれたことを検出する振動センサーなどを内蔵するケースでもよい。さらには、加速度センサーなどを内蔵することで、電子時計自体が揺らされていることを検出する場合には、電子時計全体を操作部として機能させてもよい。
【００５４】
りゅうず８の引出位置に応じて設定される設定量は前記各実施形態の例に限定されない。例えば、タイムゾーンが変更されて、１５分単位での設定が不要となった場合は、りゅうず８の引出位置が第２の位置の場合に、設定量として３０分としてもよい。このりゅうず８の引出位置に応じた設定量は、修正対象の時刻の種類に応じて設定すればよい。
上記の実施形態では、ＧＰＳ衛星等から電波を受信し、位置情報を取得できる電子時計を説明したが、位置情報を取得する機能を備えない電子時計であってもよい。
上記の実施形態では、時差がＵＴＣ＋１４時間の状態からりゅうず８が正転で回転した場合と、時差がＵＴＣ−１２時間の状態からりゅうず８が逆転で回転した場合には、時刻設定部２３は日車７も移動させることとしたが、これに限らない。例えば、時差がＵＴＣ＋２４時間の状態やＵＴＣ−２４時間の状態まで設定可能であってもよい。
【符号の説明】
【００５５】
１、１Ａ…電子時計、２…ケース、３…文字板、４…秒針、５…分針、６…時針、７…日車、８…りゅうず、９Ａ、９Ｂ…ボタン、１０…時刻表示部、１１…水晶振動子、１２…電池、１４…第１モーター、１５…第２モーター、１６…第３モーター、１７…第４モーター、２１…引出位置検出部、２２…操作検出部、２３、２３Ａ…時刻設定部、２４…第１モーター駆動制御部、２５…第２モーター駆動制御部、２６…第３モーター駆動制御部、２７…第４モーター駆動制御部、３０、３０Ａ…記憶部、３１…現在時刻記憶部、３２…時差記憶部、３３…針位置記憶部、６１…デジタル表示部、６２…時桁表示部、６３…分桁表示部。
【図１】
2020144036.tif 000003
【図２】
2020144036.tif 000004
【図３】
2020144036.tif 000005
【図４】
2020144036.tif 000006
【図５】
2020144036.tif 000007
【図６】
2020144036.tif 000008
【図７】
2020144036.tif 000009
【図８】
2020144036.tif 000010
【図９】
2020144036.tif 000011
【図１０】
2020144036.tif 000012
【図１１】
2020144036.tif 000013